(57)【要約】【課題】楽な姿勢で作業を行いながら、作業性の低下を抑止することができる作業用台車を提供する。【解決手段】作物が栽培された畝を跨ぐように形成されたフレーム部３の一方の畝間路側に、前後に位置するように配置された第１車輪部２１０および第２車輪部２２０と、作業者が座って作業する第１座部４１および第２座部４２とが設けられ、フレーム部３の他方の畝間路側に、側輪部２３０が設けられ、第１車輪部２１０および第２車輪部２２０は進行方向に向かって外側に傾斜させてフレーム部３に設けられている。またフレーム部３は、第１車輪部２１０および第２車輪部２２０と側輪部２３０との間隔が調整可能な幅調整部３５が設けられている。【選択図】図３
2008000094.tif 000002
【特許請求の範囲】
【請求項１】
作物が栽培された畝を跨ぐように形成されたフレーム部の一方の畝間路側に、前後に位置するように配置された第１車輪部および第２車輪部と、作業者が座って作業する座部とが設けられ、
前記フレーム部の他方の畝間路側に、側輪部が設けられ、
前記第１車輪部および第２車輪部のうち前輪となる方が、前進方向に向かって外側に傾斜させて前記フレームに設けられていることを特徴とする作業用台車。
【請求項２】
前記第１車輪部および第２車輪部のうち後輪となる方も、後退方向に向かって外側に傾斜させて前記フレーム部に設けられていることを特徴とする請求項１記載の作業用台車。
【請求項３】
前記フレーム部は、前記第１車輪部および第２車輪部のうち前輪となる車輪が隣接する畝の傾斜面下端に合うように、前記第１車輪部および第２車輪部と前記側輪部との間隔が調整されていることを特徴とする請求項１または２記載の作業用台車。
【請求項４】
前記フレーム部は、前記第１車輪部および第２車輪部と前記側輪部との間隔が調整可能に形成されていることを特徴とする請求項１から３のいずれかの項に記載の作業用台車。
【請求項５】
前記座部は、その中心が前記第１車輪部および第２車輪部より内側に位置するように前記フレーム部に設けられていることを特徴とする請求項１から４のいずれかの項に記載の作業用台車。
【発明の詳細な説明】
【技術分野】
【０００１】
本発明は、畝に栽培される作物の植え付けや収穫などの農作業を軽減することが可能な作業用台車に関する。
【背景技術】
【０００２】
畝に栽培される苺などの作物を収穫するときには、狭い畝間路をしゃがみ込むような姿勢で歩きながら作業することになるので作業者に取っては重労働である。このような農作業を軽減する作業用台車が特許文献１に記載されている。
【０００３】
この特許文献１に記載の園芸作物用収穫台車は、列状に栽培された園芸作物の作物畦間を跨ぐように配置される左右一対の前輪と、一方の前輪と同列に配置された後輪とが設けられ、一方の前輪または後輪に設けられた支持部材に腰掛け、圃場面に両足を接した状態で両足により車体を前後に移動する三輪車である。このような従来の作業用台車を用いれば、しゃがみ込むような姿勢でなくても作業ができるので、楽な姿勢で効率よく作業が行える。
【特許文献１】実開昭６０−１４１７１６号公報
【発明の開示】
【発明が解決しようとする課題】
【０００４】
しかし、従来の作業用台車では、一方の前輪と同列に配置された後輪とのいずれかに設けられた支持部材に作業者が腰掛けて車体を移動させるときに、圃場面を押して前方へ進むと、瞬間的に強い力が一方の前輪にかかるので、他方の前輪を中心とした円弧を描くように一方の前輪が畝方向へ向かってしまい真っ直ぐに走行できないおそれがある。特に前輪の支持部材に、作業者が進行方向に対して後ろ向きとなるように腰掛けて座り、両足で地面を蹴るように作業をしながら進むと、より畝方向へ向かう応力が強くなるので作業しづらい。従って、作業者は、作業用台車が進行方向へ向かって真っ直ぐ進むよう気を付けながら作業を行うことになるので作業性が低下する。
【０００５】
そこで本発明は、楽な姿勢で作業を行いながら、作業性の低下を抑止することができる作業用台車を提供することを目的とする。
【課題を解決するための手段】
【０００６】
本発明の作業用台車は、作物が栽培された畝を跨ぐように形成されたフレーム部の一方の畝間路側に、前後に位置するように配置された第１車輪部および第２車輪部と作業者が座って作業する座部とが設けられ、前記フレーム部の他方の畝間路側に、側輪部が設けられ、前記第１車輪部および第２車輪部のうち前輪となる方が、前進方向に向かって外側に傾斜させて前記フレーム部に設けられていることを特徴とする。
【０００７】
作業者は、フレーム部の一方の畝間路側に設けられた座部に座って作業する。そして作業者が作業用台車を前進方向に向かって進ませるために畝間路を足で押すと、フレーム部の一方の畝間路側に、前後に位置するように配置された第１車輪部および第２車輪部に瞬間的に前進する駆動力がかかる。従って、他方の畝間路側に設けられた側輪部を中心として円弧を描くような応力が台車全体に作用する。しかし、第１車輪部および第２車輪部のうち前輪となる方が前進方向に向かって外側に傾斜しているため台車全体が外側へ向かおうとする。つまり、側輪部を中心として円弧を描くような応力は、外側へ向かって進むような応力で相殺される。従って、本発明の作業用台車は、畝間路を前進方向に向かって真っ直ぐ進むことができる。
【０００８】
前記第１車輪部および第２車輪部のうち後輪となる方も、後退方向に向かって外側に傾斜させて前記フレーム部に設けられているのが望ましい。作業者は、前進しながら畝に栽培された作物を収穫したり手入れしたりするが、後退しながら作業を行うこともある。また、作業者は、１条分の畝の作業が終了すると隣接する畝に作業台車を移動して折り返して作業を行う。その際に、作業用台車の向きを変えずに隣接した畝に移動することで、後輪であった車輪が前輪となる。本発明の作業台車は、第１車輪部および第２車輪部のうち後輪となる方を後退方向に対して外側に向かって傾斜させているので、後退するときでも、隣接する畝に作業用台車の向きを変えることなく移動しても、畝間路を真っ直ぐ進行方向に向かって走行することができる。
【０００９】
前記フレーム部は、前記第１車輪部および第２車輪部のうち前輪となる車輪が隣接する畝の傾斜面下端に合うように、前記第１車輪部および第２車輪部と前記側輪部との間隔が調整されているのが望ましい。側輪部を中心として円弧を描くような応力は、台車全体が外側へ向かって進む応力で相殺されるが、作業者の進行の具合によっては台車全体が外側へ向かうことがある。第１車輪部および第２車輪部のうち前輪となる車輪が隣接する畝の傾斜面下端に合うように、フレーム部は第１車輪部および第２車輪部と側輪部との間隔が調整されているので、台車全体が外側に向かうと前輪となる車輪が、隣接する畝の傾斜面を登ろうとする。しかし、傾斜面が障壁となってほんの少し斜めに登ったところで前輪は畝の傾斜面を登れずに傾斜面の下端へ滑落する。また少し進むと前輪は畝の傾斜面を登ろうとするがやはり傾斜面の下端へ滑落する。このように前輪となる車輪が隣接する畝の傾斜面下端に合うように、フレーム部の幅を調整しておくことで、隣接する畝の傾斜面を走行ガイドとすることができるので、安定して畝間路を走行させることができる。
【００１０】
前記フレーム部は、前記第１車輪部および第２車輪部と前記側輪部との間隔が調整可能に形成されているのが望ましい。畝の幅は様々である。従って、前輪の外側側面が隣接する畝の傾斜面下端に合うように、フレーム部の第１車輪部および第２車輪部と側輪部との間隔を調整するだけでなく、作業する畝の幅に応じて、フレーム部の第１車輪部および第２車輪部と側輪部との間隔が調整できるのが望ましい。
【００１１】
前記座部は、その中心が前記第１車輪部および第２車輪部より内側に位置するように前記フレーム部に設けられているのが望ましい。作業者は、第１車輪部および第２車輪部の外側に位置する隣接した畝に向いて作業を行うことがある。その際に、座部の中心が第１車輪部および第２車輪部の中心と一致したり、第１車輪部および第２車輪部の中心より外側に位置していたりすると、作業者が座部に座ろうと座部の中心に座ると、第１車輪部および第２車輪部を支点に側輪部側が浮き上がって台車全体が裏返しになるように転倒するおそれがある。しかし、座部の中心が第１車輪部および第２車輪部より内側に位置するように設けられているので、作業者の荷重が座部の中心にかかっても、第１車輪部および第２車輪部と側輪部とで安定するので転倒することはない。
【発明の効果】
【００１２】
本発明の作業用台車によれば、側輪部を中心として円弧を描くような応力が、外側へ向かって進むような応力で相殺されるので、畝間路を前進方向に向かって真っ直ぐ進行させることができる。よって、作業者は、楽な姿勢で作業を行いながら走行について気を使うことがないので、作業性の低下を抑止することができる。
【発明を実施するための最良の形態】
【００１３】
本発明の実施の形態に係る作業用台車を図面に基づいて説明する。まずは、本発明の実施の形態に係る作業用台車の構成を図１から図３に基づいて説明する。図１は、本発明の実施の形態に係る作業用台車の斜視図である。図２は、図１に示す作業用台車の平面図である。図３は、図１に示す作業用台車の背面図である。
【００１４】
図１から図３に示すように、本実施の形態に係る作業用台車１は、苺を栽培する圃場に用いられるもので、３つの車輪部２と、フレーム部３と、２つの座部４とを備えている。作業用台車１は、作物が栽培された畝Ｒ１を跨ぐようにして配置される。そして作業者が、２つの座部４の内、いずれか一方に座り、畝間路Ｐ２に足を着けた状態で作物の収穫や作物の手入れを行い、進行方向に向かって座っていれば歩くように、進行方向に背を向けていれば蹴るようにして、畝間路Ｐ１，Ｐ２を前後に作業用台車１を走行させる。
【００１５】
車輪部２は、一方の畝間路Ｐ２を走行する第１車輪部２１０および第２車輪部２２０と、他方の畝間路Ｐ１を走行する側輪部２３０とを備えている。第１車輪部２１０および第２車輪部２２０は、進行方向Ｆ１，Ｆ２に対して前後に位置するように配置されている。第１車輪部２１０および第２車輪部２２０は、中空タイヤ２１１，２２１が周巻きしたホイール２１２，２２２のハブ軸を、回動可能に軸着したフォーク２１３，２２３がフレーム部３に溶接されている。第１車輪部２１０および第２車輪部２２０は、進行方向Ｆ１，Ｆ２に向かって外側に傾斜するようにフレーム部３に設けられている。この傾斜は、進行方向Ｆ１，Ｆ２に対して１°〜３°の範囲で調整されている。
【００１６】
側輪部２３０は、畝間路Ｐ２に平行となるように、かつ第１車輪部２１０および第２車輪部２２０の間に位置するようにフレーム部３に設けられている。側輪部２３０は、中空タイヤ２３１が周巻きしたホイール２３２のハブ軸を、回動可能に軸着したフォーク２３３がフレーム部３にネジ止めされることで取り付けられている。本実施の形態では、第１車輪部２１０および第２車輪部２２０をとして１３インチ（３３．０２ｍｍ）の中空タイヤを、側輪部２３０として２０インチ（５０．８０ｃｍ）の中空タイヤを使用している。
【００１７】
フレーム部３は、軽量化を図ると共に、強度を確保するためにアルミパイプで形成され、フレーム本体３１と、車輪取付部３２と、座席取付部３３と、棚部３４と、幅調整部３５とを備えている。フレーム本体３１は、平面視して略Ｕ字状で、徐々に広がるように形成された先部が下方に向かって折り曲げられて車輪取付部３２に接続している。車輪取付部３２に、フォーク２１３，２２３が溶接されている。座席取付部３３は、略矩形状に形成され、車輪取付部３２に接続されている。また、座席取付部３３同士の間には、フレーム部３の強度を確保するために連結部３６が設けられている。
【００１８】
棚部３４は、略Ｕ字状に形成されたフレーム本体３１に格子状となるように設けられ、収穫した苺を収納する箱が載置される棚としての機能と、フレーム本体３１の強度を向上させる機能とを備えている。
【００１９】
幅調整部３５は、側輪部２３０のフォーク２３３を幅方向に移動させてフレーム部３の幅を調整するもので、フレーム本体３１に固定され、長孔３５１が設けられた板部３５２と、フォーク２３３の基端に設けられた蝶ネジ３５３とを備えている。
【００２０】
座部４は、テント地のような布で形成され、座席取付部３３に固定され、第１車輪部２１０上に位置する第１座部４１と、第２車輪部２２０上に位置する第２座部４２とを備えている。第１座部４１と第２座部４２とは、作業者が座ったり、収穫した苺を収納する作業用容器を載置したりしても、破損しない程度の強度を有している。本実施の形態では、座部４を布製としているが、荷重に対する強度が確保できれば、木製や金属製の板材で形成してもよい。第１座部４１と第２座部４２とは、その中心が第１車輪部２１０および第２車輪部２２０より内側に位置するように設けられている。
【００２１】
以上のように構成される本発明の実施の形態に係る作業用台車１の使用状態について、更に図４に基づいて説明する。図４は、本発明の実施の形態に係る作業用台車の使用状態を示す図である。
【００２２】
図２および図４に示すように、作業用台車１のフレーム部３の幅は、畝Ｒ１〜Ｒ５の幅に合わせつつ、第１車輪部２１０が隣接する畝Ｒ２の傾斜面Ｓ下端に合うように、調整されているものとする。この調整は、幅調整部３５のネジ３５３を緩め、側輪部２３０のフォーク２３３を長孔３５１に沿って移動させることで容易に合わせることができる。このときの側輪部２３０は、畝間路Ｐ１の中央に位置させているのが望ましい。幅調整部３５によりフレーム部３の幅を調整することができるので、作付けされた畝Ｒ１〜Ｒ５の幅に応じて作業用台車１を走行させることができる。従って、栽培する作物の種類や作付けされる規模に応じて変化する畝の幅に作業用台車１の幅を適用させることができるので、栽培される作物の種類や規模に制限されることなく、作業用台車１を使用することができる。
【００２３】
図４に示すように、作業者は、まず苺を栽培している畝Ｒ１を跨ぐように畝間路Ｐ２に第１車輪部２１０および第２車輪部２２０を合わせ、畝間路Ｐ１に側輪部２３０を合わせて、作業用台車１を配置する。
【００２４】
そして、作業者は進行方向Ｆ１に向かって正面を向くように、第２車輪部２２０上の第２座部４２に座り、第１車輪部２１０上の第１座部４１と棚部３４の上に、収穫した苺を収納する籠や箱を置いて、畝Ｒ１の苺を収穫したり、または畝Ｒ２の苺を収穫したりしながら作業を行う。第１座部４１にも籠や箱を置いて作業を行うことができるので、畝Ｒ１や畝Ｒ２の苺を収穫するときに、体を大きく捻った状態で作業する必要がない。特に、畝Ｒ２を向いて収穫した苺を箱へ入れるときに、棚部３４上の箱へ収納すると、上半身を大きく向き直す必要がある。しかし、体正面に位置する第１座部４１にも籠や箱を置くことができるので、上半身を回転させる範囲を小さいものとすることができる。従って、作業性が向上し、疲れにくい。
【００２５】
また、畝Ｒ１に隣接する畝Ｒ２側に向かって作業をするときに、座部４（第１座部４１または第２座部４２）の中心から外側に座ってしまうときがある。また座ったときには座部４の中心に荷重が付加するように座ったとしても、畝Ｒ２側に向かって作業するうちに徐々に臀部の位置がずれ、座部４の中心から外側に荷重が移動してしまうことがある。そうなると、第１車輪部２１０および第２車輪部２２０を支点に側輪部２３０側が浮き上がって台車全体が裏返しとなるような応力が作用する。しかし、座部４の中心が第１車輪部２１０および第２車輪部２２０より内側に位置するように設けられているので、作業者の荷重が座部４の中心にかかっても、第１車輪部２１０および第２車輪部２２０と側輪部２３０とで安定するので転倒することはない。
【００２６】
作業用台車１を進ませるときには、作業者は、畝間路Ｐ２に足を着けた状態で作業をしながら、畝間路Ｐ２を歩くようにして進行方向Ｆ１へ進ませる。作業者は、フレーム部３に前後に位置するように配置された第１車輪部２１０および第２車輪部２２０側に座っているので、瞬間的に第１車輪部２１０および第２車輪部２２０に駆動力が働く。従って、側輪部２３０を中心として円弧を描くような応力が台車全体に作用する。しかし、第１車輪部２１０が前進方向である進行方向Ｆ１に向かって外側に傾斜しているため台車全体が外側へ向かおうとする。つまり、側輪部２３０を中心として円弧を描くような応力は、外側へ向かって進むような応力で相殺される。従って、畝間路Ｐ１，Ｐ２を前進方向に向かって、作業用台車１を真っ直ぐ進ませることができる。
【００２７】
作業用台車１は、側輪部２３０を中心として円弧を描くような応力を、台車全体が外側へ向かって進む応力で相殺されるので真っ直ぐ進むが、作業者がゆっくりした力で進行させると台車全体が外側となる畝Ｒ２の方向へ向かうことがある。フレーム部３は、畝Ｒ１を走行するときの前輪となる第１車輪部２１０が隣接する畝Ｒ２の傾斜面Ｓの下端に合うように、幅調整部３５によって第１車輪部２１０および第２車輪部２２０と側輪部２３０との間隔が調整されている。従って、台車全体が外側に向かおうと第１車輪部２１０が、隣接する畝Ｒ２の傾斜面を登ろうとする。しかし、傾斜面Ｓが障壁となってほんの少し斜めに登ったところで第１車輪部２１０は畝Ｒ２の傾斜面Ｓを登れずに傾斜面Ｓの下端へ滑落する。また少し進むと第１車輪部２１０は畝Ｒ２の傾斜面Ｓを登ろうとするがやはり傾斜面Ｓの下端へ滑落する。このように隣接する畝Ｒ２の傾斜面Ｓを走行ガイドとすることができるので、安定して畝間路Ｐ２を走行させることができる。
【００２８】
また、作業者は、作業用台車１を後退させるときには、畝間路Ｐ２を蹴るようにして進行方向Ｆ２を後退方向として進ませる。作業用台車１を後退させるときでも、第２車輪部２２０が後退方向に向かって外側に傾斜させてフレーム部３に設けられているので、畝間路Ｐ１，Ｐ２を後退方向に向かって、作業用台車１を真っ直ぐ進ませることができる。
【００２９】
作業用台車１は、畝Ｒ１の作業が終了すると隣接する畝Ｒ２に移動して折り返す。その際に、作業用台車１の向きを変えずに隣接した畝Ｒ２に移動させる。フレーム部３はアルミパイプで形成されているので軽量化が図られている。また、四輪車ではなく三輪車とすることで車輪部一つ分軽量化を図っている。従って、畝間を移動するときでも容易に持ち運びすることができる。
【００３０】
畝Ｒ２へ移動することで、後輪であった第２車輪部２２０が前輪となっても、畝Ｒ１を後退するときと同様に、第２車輪部２２０が前進方向に対して外側に向かって傾斜しているので、畝間路Ｐ２，Ｐ３を真っ直ぐ前進方向に向かって走行させることができる。
【００３１】
このようにして作業者は、畝Ｒ１から畝Ｒ５までを順次折り返しながら作業しても、作業用台車１を前進方向または後退方向に向かって畝間路Ｐ１〜Ｐ５を真っ直ぐ進行させることができるので、楽な姿勢で作業を行いながら走行について気を使うことがない。従って、作業性の低下を抑止することができる。
【００３２】
以上、本発明の実施の形態について説明してきたが、本発明は前記実施の形態に限定されるものではなく、例えば、本実施の形態では苺の手入れや収穫用の作業用台車１を説明したが、栽培される作物の種類に応じてフレーム本体の高さを高くすることで、様々な作物に適用させることが可能である。フレーム本体の高さが高くなり、棚部の位置が高くなっても、第１座部および第２座部を備えていれば、第１座部に座るときには第２座部に、第２座部に座るときには第１座部に収穫したときに収納する箱や籠を置くことができるので、容易に収穫の作業を行うことができる。
【産業上の利用可能性】
【００３３】
本発明は、栽培される苺の手入れや収穫のみならず、畝に栽培される作物であれば、作物の収穫または手入れをするための作業用台車に好適である。
【図面の簡単な説明】
【００３４】
【図１】本発明の実施の形態に係る作業用台車の斜視図である。
【図２】図１に示す作業用台車の平面図である。
【図３】図１に示す作業用台車の背面図である。
【図４】本発明の実施の形態に係る作業用台車の使用状態を示す図である。
【符号の説明】
【００３５】
１  作業用台車
２  車輪部
２１０  第１車輪部
２１１  中空タイヤ
２１２  ホイール
２１３  フォーク
２２０  第２車輪部
２２１  中空タイヤ
２２２  ホイール
２２３  フォーク
２３０  側輪部
２３１  中空タイヤ
２３２  ホイール
２３３  フォーク
３  フレーム部
３１  フレーム本体
３２  車輪取付部
３３  座席取付部
３４  棚部
３５  幅調整部
３５１  長孔
３５２  板部
３５３  ネジ
３６  連結部
４  座部
４１  第１座部
４２  第２座部
【図１】
2008000094.tif 000003
【図２】
2008000094.tif 000004
【図３】
2008000094.tif 000005
【図４】
2008000094.tif 000006